(57)【特許請求の範囲】
【請求項１】
棒状中空のスティックに一列に収納された部品を手作業によって取り出す冶具において、
前記部品を切り離すための動力、前記部品の軌道を抑制するための動力、及び前記部品の位置を知るセンサーの機能をすべて板バネ状の押さえに集約させることにより、
シリンダやモータ等の動力、センサー等の制御機器を使用せずに先頭の部品と２番目の部品とを確実に分離でき、かつ２番目の部品を定位置に送り出すことができるようにしたこと、を特徴とする部品供給・切り離し冶具。
【請求項２】
前記部品は、お互いが引き合う性質を持った部品であること、を特徴とする請求項１記載の部品供給・切り離し冶具。
【請求項３】
前記お互いが引き合う性質を持った部品は、磁気等によりお互いが引き合う性質を持った部品であり、部品内部にマグネットを持った部品であること、を特徴とする請求項２記載の部品供給・切り離し冶具。
【請求項４】
前記お互いが引き合う性質を持った部品は、磁気等によりお互いが引き合う性質を持った部品であり、部品外部にマグネットを取着された部品であること、を特徴とする請求項２記載の部品供給・切り離し冶具。
【請求項５】
部品を一列に収納する棒状中空のスティックと、
前記スティックを受ける受台と、
前記受台を固定する支柱と、
前記受台の先端に取り付けられ、前記スティックより滑り落ちてきた部品を定位置で停止させるガイド付きストッパーと、
前記スティックから滑り落ちた部品が上方向へ飛び出すことを防ぐと共に、先頭の部品を取り出した際に先頭の部品と２番目の部品を分離させ、前記部品を切り離すための動力、前記部品の軌道を抑制するための動力、及び前記部品の位置を知るセンサーの機能をすべて集約させた板バネ状の押さえと、からなり、
前記棒状中空のスティックに一列に収納された部品を手作業によって取り出すようになした、ことを特徴とする部品供給・切り離し冶具。
【請求項６】
前記押さえは、薄い金属板にて出来ていること、を特徴とする請求項５記載の部品供給・切り離し冶具。
【請求項７】
前記押さえは、弾性板にて構成されていること、を特徴とする請求項５記載の部品供給・切り離し冶具。
【請求項８】
前記部品は、お互いが引き合う性質を持った部品であること、を特徴とする請求項５記載の部品供給・切り離し冶具。
【請求項９】
前記お互いが引き合う性質を持った部品は、磁気等によりお互いが引き合う性質を持った部品であり、部品内部にマグネットを持った部品であること、を特徴とする請求項８記載の部品供給・切り離し冶具。
【請求項１０】
前記お互いが引き合う性質を持った部品は、磁気等によりお互いが引き合う性質を持った部品であり、部品外部にマグネットを取着された部品であること、を特徴とする請求項８記載の部品供給・切り離し冶具。
【発明の詳細な説明】
【０００１】
【発明の属する技術分野】
本発明は、部品供給・切り離し冶具に関する。
【０００２】
【従来の技術】
《発明の背景》
従来の部品供給・切り離し冶具は、シリンダ、モータ等の動力機器、センサ等の制御機器を使用して構成されているが、この構成では、その動力源となるエアーや電力等が必要になり、装置自体だけでなく周辺の設備が大掛かりなものになる。また、持ち運びやレイアウトに関しても制限が掛かってくる。
さらに、この種の冶具に関し下記の提案がされている。
特願2000-103053、特願平10-317168、特願平10-317169、特願平10-317167、
特願平10-133063、特願平10-007494、特願平09-158937。
【０００３】
【発明が解決しようとする課題】
本発明は、このような不便や制限を解消するため、一切の動力を使わないコンパクトで外部と切り離された冶具の提供することを発明の解決課題とする。
【０００４】
【課題を解決するための手段】
前記発明の解決課題を達成する本発明は、部品供給・切り離し冶具において下記の点を特徴とする。
１：棒状中空のスティックに一列に収納された部品を手作業によって取り出す冶具において、
前記部品を切り離すための動力、前記部品の軌道を抑制するための動力、及び前記部品の位置を知るセンサーの機能をすべて板バネ状の押さえに集約させることにより、
シリンダやモータ等の動力、センサー等の制御機器を使用せずに先頭の部品と２番目の部品とを確実に分離でき、かつ２番目の部品を定位置に送り出すことができるようにしたこと、
２：前記部品は、お互いが引き合う性質を持った部品であること、
３：前記お互いが引き合う性質を持った部品は、磁気等によりお互いが引き合う性質を持った部品であり、部品内部にマグネットを持った部品であること、
４：前記お互いが引き合う性質を持った部品は、磁気等によりお互いが引き合う性質を持った部品であり、部品外部にマグネットを取着された部品であること、
５：部品を一列に収納する棒状中空のスティックと、
前記スティックを受ける受台と、
前記受台を固定する支柱と、
前記受台の先端に取り付けられ、前記スティックより滑り落ちてきた部品を定位置で停止させるガイド付きストッパーと、
前記スティックから滑り落ちた部品が上方向へ飛び出すことを防ぐと共に、先頭の部品を取り出した際に先頭の部品と２番目の部品を分離させ、前記部品を切り離すための動力、前記部品の軌道を抑制するための動力、及び前記部品の位置を知るセンサーの機能を集約させた板バネ状の押さえと、からなり、
前記棒状中空のスティックに一列に収納された部品を手作業によって取り出すようになした、こと、
６：前記押さえは、薄い金属板にて出来ていること、
７：前記押さえは、弾性板にて構成されていること、
８：前記部品は、お互いが引き合う性質を持った部品であること、
９：前記お互いが引き合う性質を持った部品は、磁気等によりお互いが引き合う性質を持った部品であり、部品内部にマグネットを持った部品であること、
１０：前記お互いが引き合う性質を持った部品は、磁気等によりお互いが引き合う性質を持った部品であり、部品外部にマグネットを取着された部品であること。
【０００５】
《本発明の特徴点》
本発明の特徴は、棒状中空のスティック１に一列に収納された携帯電話で用いられているレシーバ部品の様に部品内部にマグネットを持ちお互いが引き合う性質を持った部品２を手作業によって取り出す冶具において、シリンダやモータ等の動力、センサー等の制御機器を使用せずに先頭の部品と２番目の部品とを確実に分離でき、かつ２番目の部品を定位置に送り出すことができるようにしたことである。
以下、本発明の実施の形態を実施例に基づいて説明する。
【０００６】
【発明の実施の形態】
《実施例の構成》
図１は本発明の実施例の構成図、図２は本発明の押さえの動作図、図３は本発明の実施例の動作説明図である。
本発明の実施の一例は、部品２の入ったスティックを受ける受台１０１と、受台１０１を固定する支柱１０２と、受台１０１の先端に取り付けられたスティック１より滑り落ちてきた部品２を定位置で停止させるガイド付きストッパー１０３と、スティック１から滑り落ちた部品２が上方向から飛び出すことを防ぐほか、先頭の部品を取り出した際に先頭の部品と２番目の部品を分離させる押さえ１０４とで構成される。また、押さえ１０４は薄い金属板で出来ており、図２で示す方向に板バネのように動く。
【０００７】
《実施例の動作の説明》
図１のように部品２の入ったスティック１を支柱１０２に傾けて固定された受台１０１に取り付けると、スティック１の中の部品２は重力の作用で滑り落ち、ガイド付きのストッパー１０３に先頭の部品が当たって止まる。
このとき先頭の部品の上面は押さえ１０４によって押さえられているため上方向に飛び出すことはない。
また、横方向はガイド付きストッパー１０３のガイドで抑制されているため、先頭の部品は定位置に安定した状態で静止する。
次に、先頭の部品を手で掴み引き出す作業を行うと、まず、押さえ１０４が部品２にあたって押し上げられる（図３−▲１▼）。
そして、押さえ１０４とガイド付きストッパー１０３の隙間が部品２の大きさを越えたとき先頭の部品が引き出される（図３−▲２▼）。
このとき、２番目の部品は重力の作用と部品２の互いに引き合う性質によって、先頭の部品に続いて飛び出そうとする。
しかし、先頭の部品を引き出した瞬間に押さえ１０４に掛かっていた力が解放され元の位置に戻ることにより、２番目の部品を押さえる力が生じるため、冶具より飛び出すことはない（図３−▲３▼）。
また、２番目の部品はガイド付きストッパー１０３に抑制されて滑り落ちているため、初めに先頭の部品があった位置で停止する。
【０００８】
《発明の他の実施例》
本発明の実施例では、対象となる部品を「部品内部にマグネットを持ちお互いが引き合う性質を持った部品」としているがこれは部品内部にマグネットを持たなくてもお互いに引き合う性質をもった部品でも良い。
また、お互いに引き合う性質を持たない部品であっても部品の供給・切り出しの効果は得られる。
また、本発明の実施例では、「押さえ１０４を薄い金属板」としているが、これは板バネのような性質を持つ部品であれば材質が金属でなくても本発明の実施例と同様の効果を得られる。
【０００９】
【発明の効果】
以上詳述したとおり、本発明に係る部品供給・切り離し冶具は、部品を切り離すための動力、部品の軌道を抑制するための動力、及び部品の位置を知るセンサの機能をすべて板バネ状の部品（押さえ１０４）に集約させることにより、シリンダ、モータ等の動力機器、センサ等の制御機器、及びエアーや電力等の動力源を使用せずに、スティック中の先頭の部品と２番目の部品とを確実に分離でき、かつ、２番目の部品を定位置に送り出すことができる、という効果を奏する。
【図面の簡単な説明】
【図１】本発明の実施例の構成図
【図２】本発明の押さえの動作範囲図
【図３】本発明の実施例の動作説明図
【符号の説明】
１  スティック
２  部品
１０１  受台
１０２  支柱
１０３  ガイド付きストッパー
１０４  押さえ
【図１】
0003716208.tif 000002
【図２】
0003716208.tif 000003
【図３】
0003716208.tif 000004